(57)【特許請求の範囲】
【請求項１】
ジャックに接続された外部機器のプラグがマイクプラグかラインプラグかを検出する回路であって、接続すべき外部機器のプラグをジャックに挿入して接続した状態で、ジャックのリングピンとティップピンとの間のインピーダンスの差を求める比較回路と、比較回路で求めたインピーダンスの差に基づき、ジャックに接続された外部機器のプラグがマイクプラグかラインプラグかを検出する判定回路と、を含むことを特徴とするマイクプラグとラインプラグの検出回路。
【請求項２】
前記判定回路において、前記インピーダンスの差が所定値より小さいとき検出すべきプラグがマイクプラグであると判断し、前記インピーダンスの差が所定値より大きいとき検出すべきプラグがラインプラグであると判断する請求項１記載のマイクプラグとラインプラグの検出回路。
【請求項３】
前記ジャックのリングピンまたはティップピンに、外部機器の動作に影響を与えないレベルのＤＣバイアスを加える請求項２記載のマイクプラグとラインプラグの検出回路。
【請求項４】
マイクジャックとラインジャックとを１つのジャックで共用する回路であって、ジャックに接続された外部機器のプラグがマイクプラグかラインプラグかを検出するための、請求項１〜３のいずれか１項に記載のマイクプラグとラインプラグとの検出回路と、検出回路により、ジャックに接続された外部機器のプラグがマイクプラグと判断された場合は、ＤＣバイアスをジャックのリングピンまたはティップピンに与えるとともに、ジャックに接続された外部機器のプラグがラインプラグと判断された場合は、ＤＣバイアスをジャックのリングピンおよびティップピンに与えないよう制御するスイッチ回路と、を含むことを特徴とするジャックの共用回路。
【請求項５】
前記検出回路の比較回路と判定回路として、差動増幅器を備えるとともに、前記スイッチ回路として、ＤＣバイアスとジャックのリングピンまたはティップピンとの間に設けたトランジスタスイッチを備え、ジャックのリングピンからの出力とティップピンからの出力とを差動増幅器に入力させ、差動増幅器がＬＯＷ出力の場合はトランジスタスイッチを開とし、差動増幅器がＨＩＧＨ出力の場合は、トランジスタスイッチを閉とする制御を行う請求項４記載のジャックの共用回路。
【請求項６】
前記差動増幅器がＬＯＷ出力でジャックに接続する外部機器のプラグがマイクプラグと判断された場合は、マイクのミュート機能をＯＦＦとし、ラインのミュート機能をＯＮとし、前記差動増幅器がＨＩＧＨ出力でジャックに接続する外部機器のプラグがラインプラグと判断された場合は、マイクのミュート機能をＯＮとし、ラインのミュート機能をＯＦＦとする請求項５記載のジャックの共用回路。
【請求項７】
ＤＣバイアスがリングピンまたはティップピンに与えられたマイクジャックをラインジャックとしても共用するためのアダプタであって、システム側のプラグと外部機器側のジャックとを備え、システム側におけるプラグのリング部と外部機器側におけるジャックのリングピンとの間のリングライン、または、システム側におけるプラグのティップ部と外部機器側におけるジャックのティップピンとの間のティップラインのうち、ＤＣバイアスがかかるリングラインまたはティップラインに、ＤＣバイアスを防ぐための機構を有することを特徴とするアダプタ。
【請求項８】
ＤＣバイアスが与えられる側がリングピン側かティップピン側かにかかわらず、前記リングラインおよびティップラインの両ラインに、ＤＣバイアスを防ぐための機構を有する請求項７記載のアダプタ。
【請求項９】
前記ＤＣバイアスを防ぐ機構がキャパシタである請求項７または８記載のアダプタ。
【請求項１０】
請求項４〜６のいずれか１項に記載のジャックの共用回路を実装し、マイクジャックとラインジャックとして１つの共用ジャックを備えることを特徴とするノートブック型ＰＣ。
【発明の詳細な説明】
【０００１】
【発明の属する技術分野】
本発明は、マイクジャックとラインジャックの両ジャックを使用する必要のある情報端末に関し、特に、マイクプラグとラインプラグの検出回路、ジャックの共用回路、ジャックを共用するためのアダプタ、および、共用ジャックを備えるノートブック型ＰＣに関するものである。
【０００２】
【従来の技術】
情報端末、特に、パーソナルコンピュータ（ＰＣ）用オーディオの音声入出力に使用するジャックは、現在考えられているファンクションを入れ込むと最低３つ必要となっている。その３つとは、入力としてのマイクジャックおよびラインジャックと、出力としてのヘッドフォンジャックである。近年、Ｂ５サイズ等の小さな筐体を持つノートブック型ＰＣの需要が高いが、このノートブック型ＰＣにおいて３つのジャックを筐体に配置することは非常に困難になってきている。そのため、入力側のマイクジャックとラインジャックを１つの共用ジャックとし、出力用のジャックと結果的に２つのジャックでシステムを組み立てようとする検討が種々なされている。
【０００３】
図７は従来のシステムにおける入力側のラインジャックおよびマイクジャックとその周辺の回路の一例を示すブロック図である。図７において、ノートブック型ＰＣ等のシステム１０１の側面に、ラインジャック１１１とマイクジャック１３１とが設けられている。
【０００４】
ラインジャック１１１は、リングピン１１２とティップピン１１３とＧＮＤピン１１４とを備えている。リングピン１１２はバッファ１１５を介してコンバータＩＣであるＣＯＤＥＣ１１６に接続されている。ティップピン１１３はバッファ１１７を介してＣＯＤＥＣ１１６に接続されている。ＧＮＤピン１１４は接地されている。このラインジャック１１１には、外部機器１１８のプラグ１１９が挿入される。ラインジャック１１１にプラグ１１９を挿入した状態で、プラグ１１９のリング部１２０とリングピン１１２とが接続し、プラグ１１９のティップ部１２１とティップピン１１３とが接続し、プラグ１１９のＧＮＤ部１２２とＧＮＤピン１１４とが接続している。
【０００５】
同様に、マイクジャック１３１は、リングピン１３２とティップピン１３３とＧＮＤピン１３４とを備えている。リングピン１３２には抵抗１４１を介してＤＣバイアス（Ｖｃｃ）が供給されている。ティップピン１３３はプリアンプ１４２を介してＣＯＤＥＣ１１６に接続されている。ＧＮＤピン１３４は接地されている。このマイクジャック１３１には、マイク１３５のプラグ１３６が挿入される。マイクジャック１３１にプラグ１３６を挿入した状態で、プラグ１３６のリング部１３７とリングピン１３２とが接続し、プラグ１３６のティップ部１３８とティップピン１３３とが接続し、プラグ１３６のＧＮＤ部１３９とＧＮＤピン１３４とが接続するよう構成されている。
【０００６】
【発明が解決しようとする課題】
図７示す例では、マイクジャック１３１のリングピン１３２はマイク１３５用のバイアスを必要とするために、３Ｖから５ＶのＤＣバイアス（Ｖｃｃ）を抵抗１４１を経由して加える必要がある。また、ラインジャック１１１における同じ位置のピンは、Ｒｃｈ（右チャンネル）またはＬｃｈ（左チャンネル）用の入力信号として使用されている。
【０００７】
実装スペース削減のために、マイクジャック１３１かラインジャック１１１の片方を廃する場合、ラインジャック１１１を廃すると、ラインプラグ１１９が接続された場合にも、不要な電源がラインプラグ１１９経由で外部機器に供給される。一方、マイクジャック１３１を廃するとすると、マイク１３５に電源が供給されない。
【０００８】
本発明の目的は上述した課題を解消して、マイクジャックとラインジャックの共用を可能とする、マイクプラグとラインプラグの検出回路、ジャックの共用回路、ジャックを共用するためのアダプタ、および、共用ジャックを備えるノートブック型ＰＣを提供しようとするものである。
【０００９】
【課題を解決するための手段】
本発明のマイクプラグとラインプラグの検出回路は、ジャックに接続された外部機器のプラグがマイクプラグかラインプラグかを検出する回路に関する。この回路において、接続すべき外部機器のプラグをジャックに挿入して接続した状態で、ジャックのリングピンとティップピンとの間のインピーダンスの差を求める比較回路と、比較回路で求めたインピーダンスの差に基づき、ジャックに接続された外部機器のプラグがマイクプラグかラインプラグかを検出する。
【００１０】
上述した本発明のマイクジャックとラインジャックの検出方法では、外部機器がマイクジャックを利用する場合はジャックのリングピンとティップピンとは同じレベルの信号すなわち同じインピーダンスを有する一方、外部機器がラインジャックを利用する場合はジャックのリングピンとティップピンとは通常異なるレベルの信号すなわち異なるインピーダンスを有することから、ジャックのリングピンとティップピンとの間のインピーダンスの差を求め、求めたインピーダンスの差に基づき、接続された外部機器のプラグがマイクプラグかラインプラグかを検出できる。
【００１１】
本発明のマイクプラグとラインプラグの検出回路における好適な具体例としては、判定回路において、インピーダンスの差が所定値より小さいとき検出すべきプラグがマイクジャックであると判断し、インピーダンスの差が所定値より大きいとき検出すべきプラグがラインプラグであると判断することがある。また、その判断の際、ジャックのリングピンまたはティップピンに、外部機器の動作に影響を与えないレベルのＤＣバイアスを加えることにより、ライン入力の際、左右の信号レベルがたまたま同じとなった場合でもインピーダンスの差が所定値以下とならずプラグを誤検出することがなくなるため、より精度の高い検出を実現することができる。
【００１２】
本発明のジャックの共用回路は、マイクジャックとラインジャックとを１つのジャックで共用する回路に関する。この回路において、ジャックに接続された外部機器のプラグがマイクプラグかラインプラグかを検出するための、上述した本発明のマイクプラグとラインプラグとの検出回路と、検出回路により、ジャックに接続された外部機器のプラグがマイクプラグと判断された場合は、ＤＣバイアスをジャックのリングピンまたはティップピンに与えるとともに、ジャックに接続された外部機器のプラグがラインプラグと判断された場合は、ＤＣバイアスをジャックのリングピンおよびティップピンに与えないよう制御するスイッチ回路と、を含む。
【００１３】
上述した本発明のジャックの共用回路では、ジャックに接続された外部機器のプラグがマイクプラグかラインプラグかに応じて、ＤＣバイアスを加えるか加えないかを制御することで、ジャックに接続された外部機器のプラグがマイクプラグを使用する機器かラインプラグを使用する機器かによらず、常に、外部機器の動作に影響を与えることがない。
【００１４】
本発明のジャックの共用回路における好適な具体例は、検出回路の比較回路と判定回路として、差動増幅器を備えるとともに、スイッチ回路として、ＤＣバイアスとジャックのリングピンまたはティップピンとの間に設けたトランジスタスイッチを備え、ジャックのリングピンからの出力とティップピンからの出力とを差動増幅器に入力させ、差動増幅器がＬＯＷ出力の場合はトランジスタスイッチを開とし、差動増幅器がＨＩＧＨ出力の場合は、トランジスタスイッチを閉とすること、さらに加えて、差動増幅器がＬＯＷ出力でジャックに接続する外部機器のプラグがマイクプラグと判断された場合は、マイクのミュート機能をＯＦＦとし、ラインのミュート機能をＯＮとし、差動増幅器がＨＩＧＨ出力でジャックに接続する外部機器のプラグがラインプラグと判断された場合は、マイクのミュート機能をＯＮとし、ラインのミュート機能をＯＦＦとする制御を行うことがある。いずれの場合も本発明のジャックの共用回路をさらに好適に実施することができる。なお、ミュート機能の切替は、手動でも自動でも行うことができる。
【００１５】
本発明のジャックを共用するためのアダプタは、ＤＣバイアスがリングピンまたはティップピンに与えられたマイクジャックをラインジャックとしても共用するためのアダプタに関する。このアダプタにおいて、システム側のプラグと外部機器側のジャックとを備え、システム側におけるプラグのリング部と外部機器側におけるジャックのリングピンとの間のリングライン、または、システム側におけるプラグのティップ部と外部機器側におけるジャックのティップピンとの間のティップラインのうち、ＤＣバイアスがかかるリングラインまたはティップラインに、ＤＣバイアスを防ぐための機構を有する。
【００１６】
本発明のジャックを共用するためのアダプタでは、ユーザが予め接続すべき外部機器がマイクジャックを使用する機器かラインジャックを使用する機器かを検出しておき、マイクジャックを使用する機器の場合は外部機器のプラグをそのままジャックに接続し、ラインジャックを使用する機器の場合は外部機器のプラグを所定のアダプタを介してジャックに接続することで、外部機器の動作に影響を与えることなくマイクジャックとラインジャックを共用することができる。
【００１７】
本発明のジャックを共用するためのアダプタにおける好適な具体例としては、ＤＣバイアスが与えられる側がリングピン側かティップピン側かにかかわらず、リングラインおよびティップラインの両ラインに、ＤＣバイアスを防ぐための機構を有するアダプタを使用すること、および、ＤＣバイアスを防ぐ機構がキャパシタであることがある。いずれの場合も、本発明のジャックを共用するためのアダプタをより好適に実施することができる。
【００１８】
本発明のノートブック型ＰＣは、上述した本発明のジャックの共用回路を実装し、マイクジャックとラインジャックとして１つの共用ジャックを備えている。そのため、入力用ジャックと出力用ジャックの２つのジャックでシステムを組むことが可能となる。これにより、ＰＣのメインカード上でのパーツ面積の削減のみならずケース等の体積削減ということが可能となり、コストダウンを実現できる。
【００１９】
【発明の実施の形態】
図１は本発明のマイクプラグとラインプラグの検出回路の一例を説明するためのフローチャートである。図１に示す例に従って本発明のマイクプラグとラインプラグの検出回路を説明すると、まず、検出すべきジャックに、接続すべき外部機器のプラグを挿入して接続する。次に、ジャックのリングピントティップピンとの間のインピーダンスの差を求める。その後、求めたインピーダンスの差が０かどうかを判定する。判定の結果、インピーダンスの差が０と一致した時は、検出すべきプラグをマイクプラグと判断する。判定の結果、インピーダンスの差が０と一致しない時は、検出すべきプラグをラインプラグと判断する。なお、外部機器の動作に影響を与えないレベルのＤＣバイアスをジャックのリングピンまたはティップピンに加える好適例の場合でも、マイクプラグの場合はリングピンとティップピンとはマイク内部で接続され同レベルであるため、インピーダンスの差は０となる。そのため、同じ検出方法をとることができる。
【００２０】
なお、上述した図１の説明では、検出回路を構成する判定回路においてインピーダンスの差が０かどうかを判定することで説明している。これは、理論上はインピーダンスの差が０Ωのときにマイクジャックと判断するよう構成されるためである。しかしながら、現実の回路では、マイクジャックにプラグが接続されても、接触抵抗や信号線の抵抗に起因し、数Ω、典型的には０．５Ω乃至３Ωのインピーダンス差が残存するのが通常である。そのため、外部機器がマイクのときのインピーダンス差を求めておき、その値以下のインピーダンス差が検出された場合に、ジャックに接続される外部機器のプラグをマイクプラグだと判断し、その値以上のインピーダンス差が検出された場合に、ジャックに接続される外部機器のプラグをラインプラグと判断するよう構成するのが好ましい。なお、本発明において「インピーダンス差が０のとき」と記載がある場合は、上記の通り、一定範囲の小さい（高々数Ω程度の）インピーダンス差の値も含むことを意味する。
【００２１】
図２は図１に示した検出回路を利用した本発明のジャックの共用回路の一例の構成を示すブロック図である。図２に示す例においては、ノートブック型ＰＣ等のシステム１の側面に、マイクジャックの機能とラインジャックの機能を有する１つの共用ジャック１１が設けられている。
【００２２】
共用ジャック１１は、リングピン１２とティップピン１３とＧＮＤピン１４とを備えている。リングピン１２はバッファ１５を介してコンバータＩＣであるＣＯＤＥＣ１６に接続されている。ティップピン１３はバッファ１７及びプリアンプ１８を介してＣＯＤＥＣ１６に接続されている。ＧＮＤピン１４は接地されている。この共用ジャック１１には、外部機器２１のプラグ２２またはマイク３１のプラグ３２が挿入される。外部機器２１のプラグ２２を挿入した場合は、プラグ２２のリング部２３とリングピン１２とが接続し、プラグ２２のティップ部２４とティップピン１３とが接続し、プラグ２２のＧＮＤ部２５とＧＮＤピン１４とが接続している。マイク３１のプラグ３２を挿入した場合は、プラグ３２のリング部３３とリングピン１２とが接続し、プラグ３２のティップ部３４とティップピン１３とが接続し、プラグ３２のＧＮＤ部３５とＧＮＤピン１４とが接続している。
【００２３】
以上の構成は、図７で示した従来例と同じである。図２に示す例において、本発明のジャックの共用回路の特徴は、共用ジャック１１のリングピン１２からの出力とティップピン１３からの出力とを差動アンプ４１に供給し、本例ではリングピン１２に供給するＤＣバイアス（Ｖｃｃ：一例として３．３Ｖから５Ｖ）のラインのうち抵抗４３とリングピン１２との間にトランジスタスイッチ４２を設け、差動アンプ４１からのＬＯＷ出力とＨＩＧＨ出力によりトランジスタスイッチ４２の開閉を制御する点である。トランジスタスイッチ４２の開閉の制御の具体例では、まず、リングピン１２とティップピン１３とのインピーダンスの差を差動アンプ４１の出力として求める。求めたインピーダンスの差が０の時はＬＯＷ出力として、インピーダンスの差が０以外の時はＨＩＧＨ出力として、差動アンプ４１の出力を求める。そして、差動アンプ４１の出力がＬＯＷレベルの時は、ジャックがマイクジャックと判断され、ＬＯＷレベルの出力を受けたトランジスタスイッチ４２は開状態となり、ＤＣバイアス（Ｖｃｃ）をリングピン１２に供給する。一方、差動アンプ４１の出力がＨＩＧＨレベルの時は、ジャックがラインジャックと判断され、ＨＩＧＨレベルの出力を受けたトランジスタスイッチ４２は閉状態となり、ＤＣバイアス（Ｖｃｃ）はリングピン１２に供給されない。
【００２４】
図３は図１に示した検出回路を利用した本発明のジャックの共用回路の他の例の構成を示すブロック図である。図３に示す例において、図２に示した例と同一の部材には同一の符号を付し、その説明を省略する。図３に示す例において図２に示す例と異なる点は、共用ジャック１１のリングピン１２に、外部機器２１を共用ジャック１１に接続した場合でも外部機器２１の動作に影響を与えないレベルのＤＣバイアス（Ｖｂ：一例として１．５以下）を抵抗４４を介して加えている点である。本例ではこのＤＣバイアスをリングピン１２に加えているが、ティップピン１３に加えても同じである。
【００２５】
図３に示すように、外部機器２１の動作に影響を与えないレベルのＤＣバイアスを加えると、差動アンプ３１の出力は、リングピン１２とティップピン１３とのインピーダンスの差に、このＤＣバイアスに対応する値を加えたものとなる。しかし、共用ジャック１１をマイクジャックとして使用する場合は、マイク３１内でリング部３３とティップ部３４とが接続されているため、リングピン１２とティップピン１３とは両者ともこのＤＣバイアスと同じ値となる。そのため、差動アンプ４１の出力は０となり、図２と同様図１に示すマイクジャックとラインジャックの検出方法を利用することができる。本例では、共用ジャック１１をラインジャックとして使用する場合にたまたまリング部２３の出力とティップ部２４の出力とが同一レベルとなった時でも、差動アンプ４１の出力はこのＤＣバイアスに対応する値となり０とはならない。そのため、マイクジャックとラインジャックの検出精度を高くすることができる。
【００２６】
図４は図１に示した検出回路を利用した本発明のジャックの共用回路のさらに他の構成を示すブロック図である。図４に示す例において、図２に示した例と同一の部材には同一の符号を付し、その説明を省略する。図４に示す例において、図２に示した例と異なる点は、差動アンプ４１の出力をＣＯＤＥＣ１６に加えるよう構成した点である。
【００２７】
図４に示す例では、共用ジャック１１がマイクジャックかラインジャックかを示す差動アンプ４１のＬＯＷレベルの出力とＨＩＧＨレベルの出力に応じて、システムのマイク関係の機器とライン関係の機器をミュートし、システム全体の調整をしている。すなわち、共用ジャック１１がマイクジャックであることを示す差動アンプ４１のＬＯＷ出力がＣＯＤＥＣ１６のＧＰＩＯ−ＩＮに入ると、ＣＯＤＥＣ１６の入力セレクターが、自動的に、システムにおけるマイクのキュート機能をＯＦＦとするとともにラインのミュート機能をＯＮとする。一方、共用ジャック１１がラインジャックであることを示す差動アンプ４１のＨＩＧＨ出力がＣＯＤＥＣ１６のＧＰＩＯ−ＩＮに入ると、ＣＯＤＥＣ１６の入力セレクターが、自動的に、システムにおけるマイクのミュート機能をＯＮとするとともにラインのミュート機能をＯＦＦとする。
【００２８】
上述した例では、ＣＯＤＥＣ１６に入力された差動アンプ４１の出力に応じて自動的にマイク関係の機器とライン関係の機器をミュートするよう構成したが、ＣＯＤＥＣ１６に入力された差動アンプ４１の出力を何らかの手段でユーザに伝えることで、ユーザが表示装置上の例えばボリューム調整パネルのミュートボックスに手動でチェックを入れるよう構成することもできる。本例では、例えば共用ジャック１１がマイクジャックとして使用される場合、マイク関係のミュートがＯＮとなっている場合でも、そのミュートを解除することができ、システム全体の調整が可能となる。
【００２９】
図２〜図４で示した本発明のジャックの共用回路では、以下のような効果を得ることができる。
（１）ライン機能及びマイク機能を有したまま、コネクタ１個分のスペースを削減することができる。
（２）ライン用、マイク用、イアホーン用の３つのジャックを有する従来製品と比べ、ライン／マイク使用時にユーザが入力ジャックの確認をする必要がなくなり、ユーザビリティがあがる。
（３）外部出力機器にダメージを与える可能性を解消することができる。
【００３０】
図５は本発明のジャックを共用するためのアダプタの一例の構成を説明するための図である。図５に示す例において、図２〜図４に示した例と同一の部材には同一の符号を付し、その説明を省略する。図５に示す本発明のジャックを共用するためのアダプタでは、共用ジャック１１のリングピン１２またはティップピン１３に常にＤＣバイアス（Ｖｃｃ）を加えるよう構成する。そして、ユーザが共用ジャック１１に接続すべき機器が、ＤＣバイアスが加わるとダメージを受ける外部機器２１からＤＣバイアスを必要とするマイク３１かを予め識別する必要がある。共用ジャック１１に接続すべき機器がマイク３１の場合は、共用ジャック１１にマイク３１のプラグ３２を直接挿入して接続する。一方、共用ジャック１１に接続すべき機器が外部機器２１の場合は、以下に詳述するＤＣ成分をカットする機能を有するアダプタ５１を介して、共用ジャック１１に外部機器２１のプラグ２２を接続する。これにより、マイクジャックとラインジャックの共用を実現している。
【００３１】
図５に示す例において、アダプタ５１は、システム側のプラグ６１と外部機器側のジャック７１とを一体にして構成されている。そして、システム側におけるプラグ６１のリング部６２と外部機器側におけるジャック７１のリングピン７２との間のリングライン８１に、ＤＣバイアスを防ぐためのキャパシタ８２を設けている。また、システム側におけるプラグ６１のティップ部６３と外部機器側におけるジャック７１のティップピン７３との間のティップライン８３に、ＤＣバイアスを防ぐためのキャパシタ８４を設けている。さらに、プラグ６１のＧＮＤ部６４とジャック７１のＧＮＤピン７４との間はＧＮＤライン８５で接続されている。そのため、ＤＣバイアスがリングライン８１側に加わってもティップライン８３側に加わっても、外部機器側には信号が伝わるだけでＤＣバイアスはカットされる。
【００３２】
なお、上述した例では、リングライン８１とティップライン８３の両者にキャパシタを設けたが、ＤＣバイアスが加わる側のラインのみに、図５に示す例ではリングライン８１のみにキャパシタを設けても、本発明を達成できることはいうまでもない。また、上述した例では、ＤＣバイアスを防ぐための手段としてキャパシタを例示したが、ＤＣ成分の通過を阻止できる手段であれば、キャパシタ以外のその他の手段でも利用できることはいうまでもない。
【００３３】
図６は図５に示すアダプタ５１の他の例の構成を示す図である。図６に示す例において、図５に示す例と同一の部材には同一の符号を付し、その説明を省略する。図６に示す例では、アダプタ５１を、別体に構成したプラグ６１とジャック７１とを可撓性のケーブル９１で連結して構成している。本例でも図５に示す例と同様に、アダプタ５１の機能を果たすことができる。
【００３４】
図５および図６で示した本発明のマイクジャックとラインジャックの共用方法の第２発明では、以下のような効果を得ることができる。
（１）マイク機能及びライン機能を損なうことなく、システムにおいてオーディオジャック一つ分のスペースを減らすことが可能となる。
（２）従来の方法に比べ、低価格に実現可能である。
（３）ユーザの必要性に柔軟である。例えば、ライン機能を必要としないユーザはアダプタが不要であるため、そのユーザにはより低価格なシステムを提供することができる。
【００３５】
また、ノートブック型ＰＣとして、上述した本発明のマイクジャックとラインジャックの共用方法の第１発明を実装し、マイクジャックとラインジャックとして１つの共用ジャックを利用することができる。その場合は、入力用ジャックと出力用ジャックの２つのジャックでシステムを組むことが可能となる。これにより、ＰＣのメインカード上でのパーツ面積の削減のみならずケース等の体積削減ということが可能となり、コストダウンを実現できる。
【００３６】
なお、上述した説明では、マイクジャックとラインジャックとを共用する場合について説明したが、マイクジャックと同様のＤＣバイアスの供給を必要とするジャックと、ラインジャックと同様のＤＣバイアスが供給されると動作に影響があるジャックとを共用する場合にも、本発明を好適に適用できることはいうまでもない。
【００３７】
また、本発明において、上述した説明ではラインジャックとマイクジャックとしてジャックを説明したが、ここでいうラインジャックとマイクジャックは、以下の概念を示す。すなわち、ラインジャックとは、ＰＣ本体から電源供給をする必要のない機器とＰＣを接続するためのインターフェースを指す。例えば外部機器内のコンデンサ、抵抗、トランジスタ等の電子部品から出力される信号をＰＣに導くためのインターフェースを指し、これら電子部品は外部機器の電源により駆動されているので、ＰＣから電源を供給する必要はない。また、マイクジャックとは、ＰＣ本体から電源供給する必要のある機器とＰＣを接続するためのインターフェースを指す。典型的には、マイクジャックは、エレクトリックコンデンサマイクからの出力をＰＣに導くための端子である。エレクトリックコンデンサマイクは、一般的には、集音用コンデンサを含み、更に当該コンデンサからの出力を増幅するための増幅器、例えばＭＯＳＦＥＴを有する。ＭＯＳＦＥＴからの出力が音声信号としてＰＣに入力される。この増幅器をドライブするために、ＰＣから電源供給するのが一般的である。
【００３８】
【発明の効果】
以上の説明から明らかなように、本発明によれば、マイクジャックとラインジャックとを、接続した外部機器に損傷を与えることなく、共用することができる。そのため、ジャック一つ分のスペースを削減することができる。
【図面の簡単な説明】
【図１】本発明のマイクプラグとラインプラグの検出回路の一例を説明するためのフローチャートである。
【図２】図１に示した検出回路を利用した本発明のジャックの共用回路の一例の構成を示すブロック図である。
【図３】図１に示した検出回路を利用した本発明のジャックの共用回路の他の例の構成を示すブロック図である。
【図４】図１に示した検出回路を利用した本発明のジャックの共用回路のさらに他の構成を示すブロック図である。
【図５】本発明のジャックを共用するためのアダプタの一例の構成を示す図である。
【図６】図５に示すアダプタの他の例の構成を示す図である。
【図７】従来のシステムにおける入力側のラインジャックおよびマイクジャックとその周辺の回路の一例を示すブロック図である。
【符号の説明】
１  システム、１１  共用ジャック、１２、７２  リングピン、１３、７３  ティップピン、１４、７４  ＧＮＤピン、１５、１７  バッファ、１６  ＣＯＤＥＣ、１８  プリアンプ、２１  外部機器、２２、３２、６１  プラグ、２３、３３、６２  リング部、２４、３４、６３  ティップ部、２５、３５、６４  ＧＮＤ部、３１  マイク、４１  差動アンプ、４２  トランジスタスイッチ、４３、４４  抵抗、５１  アダプタ、７１  ジャック、８１  リングライン、８２、８４  キャパシタ、８３ティップライン、８５  ＧＮＤライン、９１  ケーブル
【図１】
0003664479.tif 000002
【図２】
0003664479.tif 000003
【図３】
0003664479.tif 000004
【図４】
0003664479.tif 000005
【図５】
0003664479.tif 000006
【図６】
0003664479.tif 000007
【図７】
0003664479.tif 000008